(57)【要約】  【課題】親子間で信号を送受するための特別なインターフェースを持たせることなく、親子関係の管理・設定を行うことができる技術を提供する。  【解決手段】、内線ネットワーク４に無線ＡＰ３および有線端末２１を接続すると共に、無線ＡＰ３を介して内線ネットワーク４に無線端末２２を接続する。そして、有線端末２１に、無線端末２２の自端末２１への載置状態の変化を契機として、主装置１に対して親子設定要求を送信させる。また、無線端末２２に、自端末２２の有線端末２１への載置状態の変化を契機として、主装置１に対して親子設定要求を送信させる。また、主装置１に、所定時間内に一の有線端末２１および一の無線端末２２から親子設定要求を受信した場合に、これらの端末２１、２２間に親子関係を設定する。【選択図】図１
2011217418.tif 000002
【特許請求の範囲】
【請求項１】
内線を収容する主装置と、前記内線に接続された無線アクセスポイントと、前記内線に接続された少なくとも１台の端末装置と、前記無線アクセスポイントを介して前記内線に接続され、前記端末装置に載置可能な少なくとも１台の無線端末装置と、を有する親子電話システムであって、
前記端末装置は、
前記無線端末装置の自端末装置への載置状態の変化を検出する端末装置側載置状態検出手段と、
前記端末装置側載置状態検出手段により前記無線端末装置の自端末装置への載置状態の変化が検出された場合に、前記主装置に親子設定要求を送信する端末装置側親子設定要求手段と、を有し、
前記無線端末装置は、
自無線端末装置の前記端末装置への載置状態の変化を検出する無線端末装置側載置状態検出手段と、
前記無線端末装置側載置状態検出手段により自無線端末装置の前記端末装置への載置状態の変化が検出された場合に、前記主装置に親子設定要求を送信する無線端末装置側親子設定要求手段と、を有し、
前記主装置は、
親子関係にある前記端末装置および前記無線端末装置のアドレスを含む親子情報を記憶する親子情報記憶手段と、
所定時間内に一の前記端末装置および一の前記無線端末装置から前記親子設定要求を受信した場合に、当該端末装置を親機とし、当該無線端末装置を子機とする親子情報を前記親子情報記憶手段に登録する親子情報登録手段と、を有する
ことを特徴とする親子電話システム。
【請求項２】
請求項１に記載の親子電話システムであって、
前記主装置は、
前記親子情報登録手段により親子情報が登録された前記端末装置および前記無線端末装置に対し、当該端末装置に対しては当該無線端末装置のアドレスを送信し、当該無線端末装置に対しては当該端末装置のアドレスを送信するアドレス送信手段をさらに有し、
前記端末装置は、
前記主装置から送られてきた前記無線端末装置のアドレスを、自端末装置の子機のアドレスとして登録する子機情報登録手段をさらに有し、
前記無線端末装置は、
前記主装置から送られてきた前記端末装置のアドレスを、自無線端末装置の親機のアドレスとして登録する親機情報登録手段をさらに有する
ことを特徴とする親子電話システム。
【請求項３】
請求項１または２に記載の親子電話システムであって、
前記端末装置は、
前記無線端末装置に電力を供給するための電力供給端子をさらに有し、
前記無線端末装置は、
前記端末装置から電力を入力するための電力入力端子をさらに有し、
前記端末装置側載置状態検出手段は、
前記電力供給端子に供給される電力の変化に基づいて、前記無線端末装置の自端末装置への載置状態の変化を検出し、
前記無線端末装置側載置状態検出手段は、
前記電力入力端子に入力される電力の変化に基づいて、自無線端末装置の前記端末装置への載置状態の変化を検出する
ことを特徴とする親子電話システム。
【請求項４】
内線を収容する主装置を用いた親子電話システムの構築方法であって、
前記内線に無線アクセスポイントおよび端末装置を接続し、
前記無線アクセスポイントを介して前記内線に、前記端末装置に載置可能な無線端末装置を接続し、
前記端末装置に、
前記無線端末装置の自端末装置への載置状態の変化を契機として、前記主装置に前記親子設定要求を送信させ、
前記無線端末装置に、
自無線端末装置の前記端末装置への載置状態の変化を契機として、前記主装置に前記親子設定要求を送信させ、
前記主装置に、
所定時間内に一の前記端末装置および一の前記無線端末装置から前記親子設定要求を受信した場合に、当該端末装置を親機とし、当該無線端末装置を子機する親子情報を登録させる
ことを特徴とする親子電話システムの構築方法。
【発明の詳細な説明】
【技術分野】
【０００１】
本発明は、主装置を用いた親子電話システムの技術に関し、特に親子関係の設定技術に関する。
【背景技術】
【０００２】
特許文献１には、親機および無線子機の構成を複雑化させることなく、親機に対する無線子機の載置状態を主装置で把握できる電話システムが記載されている。この電話システムにおいて、親機は、無線子機の載置を検出した場合、主装置へ載置あり検出を通知すると共に、無線子機からのオンフック検出の通知に応じて主装置へ子機オンフックを通知する。主装置は、親機から載置あり検出通知および子機オンフック通知を受信し、これらの通知元を比較し、その一致／不一致に応じて、無線子機が、対となる親機へ載置されているか否かを判断する。
【先行技術文献】
【特許文献】
【０００３】
【特許文献１】特開２００４−２５３８６１号公報
【発明の概要】
【発明が解決しようとする課題】
【０００４】
特許文献１に記載の電話システムでは、親子間で、通話用の無線リンク確立に先立って子機オンフック通知を送受する必要がある。このため、無線リンク用のインターフェースとは別に、親子間で子機オンフック通知を送受するための特別なインターフェースを持たせる必要があり、コストが嵩む。また、特許文献１に記載の電話システムは、親子関係を新たに設定することについて何ら考慮されていない。
【０００５】
本発明は上記事情に鑑みてなされたものであり、本発明の目的は、親子間で信号を送受するための特別なインターフェースを持たせることなく、親子関係の管理・設定を行うことができる技術を提供することにある。
【課題を解決するための手段】
【０００６】
上記課題を解決するために、本発明では、内線に無線アクセスポイントおよび端末装置を接続すると共に、無線アクセスポイントを介して内線に無線端末装置を接続する。そして、端末装置に、無線端末装置の自端末装置への載置状態の変化を契機として、主装置に対して親子設定要求を送信させる。また、無線端末装置に、自無線端末装置の端末装置への載置状態の変化を契機として、主装置に対して親子設定要求を送信させる。また、主装置に、所定時間内に一の端末装置および一の無線端末装置から親子設定要求を受信した場合に、この端末装置を親機とし、この無線端末装置を子機とする親子情報を登録させる。
【０００７】
例えば、本発明は、内線を収容する主装置と、前記内線に接続された無線アクセスポイントと、前記内線に接続された少なくとも１台の端末装置と、前記無線アクセスポイントを介して前記内線に接続され、前記端末装置に載置可能な少なくとも１台の無線端末装置と、を有する親子電話システムであって、
前記端末装置は、
前記無線端末装置の自端末装置への載置状態の変化を検出する端末装置側載置状態検出手段と、
前記端末装置側載置状態検出手段により前記無線端末装置の自端末装置への載置状態の変化が検出された場合に、前記主装置に親子設定要求を送信する端末装置側親子設定要求手段と、を有し、
前記無線端末装置は、
自無線端末装置の前記端末装置への載置状態の変化を検出する無線端末装置側載置状態検出手段と、
前記無線端末装置側載置状態検出手段により自無線端末装置の前記端末装置への載置状態の変化が検出された場合に、前記主装置に親子設定要求を送信する無線端末装置側親子設定要求手段と、を有し、
前記主装置は、
親子関係にある前記端末装置および前記無線端末装置のアドレスを含む親子情報を記憶する親子情報記憶手段と、
所定時間内に一の前記端末装置および一の前記無線端末装置から前記親子設定要求を受信した場合に、当該端末装置を親機とし、当該無線端末装置を子機とする親子情報を前記親子情報記憶手段に登録する親子情報登録手段と、を有する。
【発明の効果】
【０００８】
本発明では、親子関係の設定に際し、端末装置および無線端末装置間で信号を送受する必要がない。したがって、本発明によれば、端末装置および無線端末装置間で信号を送受するための特別なインターフェースを持たせることなく、親子関係の管理・設定を行うことができる。
【図面の簡単な説明】
【０００９】
【図１】図１は、本発明の一実施の形態が適用された親子電話システムの概略構成図である。
【図２】図２は、主装置１の概略構成図である。
【図３】図３は、親子情報記憶部１８の登録内容を模式的に表した図である。
【図４】図４は、主装置１の親子関係設定処理を説明するためのフロー図である。
【図５】図５は、無線ＡＰ３の概略構成図である。
【図６】図６は、有線端末２１の概略構成図である。
【図７】図７は、有線端末２１の親子設定要求処理を説明するためのフロー図である。
【図８】図８は、無線端末２２の概略構成図である。
【図９】図９は、無線端末２２の親子設定要求処理を説明するためのフロー図である。
【図１０】図１０は、一つの有線端末２１および一つの無線端末２２が所定時間内に親子設定要求を送信した場合において、この有線端末２１の親子関係が未設定である場合の親子関係設定処理例を説明するためのシーケンス図である。
【図１１】図１１は、複数の有線端末２１および複数の無線端末２２が所定時間内に親子設定要求を送信した場合において、各有線端末２１の親子関係が未設定である場合の親子関係設定処理例を説明するためのシーケンス図である。
【図１２】図１２は、一つの有線端末２１および一つの無線端末２２が所定時間内に親子設定要求を送信した場合において、この有線端末２１の親子関係が設定済みである場合の親子関係設定処理例を説明するためのシーケンス図である。
【図１３】図１３は、親子情報記憶部１８の登録内容の変遷例を説明するための図である。
【図１４】図１４は、有線端末２１の無線端末ＩＦ部２１０８、電源制御部２１０９、および無線端末２２の有線端末ＩＦ部２２０８、電源制御部２２０９の変形例を説明するための図である。
【発明を実施するための形態】
【００１０】
以下、本発明の実施の形態について説明する。
【００１１】
図１は、本発明の一実施の形態が適用された親子電話システムの概略構成図である。
【００１２】
図示するように、本実施の形態の親子電話システムは、外線ネットワーク（例えばＷＡＮ）５および内線ネットワーク（例えばＬＡＮ）４を収容する主装置１と、内線ネットワーク４に接続された無線ＡＰ（アクセスポイント）３と、内線ネットワーク４に接続された少なくとも１台の有線端末２１と、無線ＡＰ３を介して内線ネットワーク４に接続された少なくとも１台の無線端末２２と、を有する。
【００１３】
主装置１は、外線ネットワーク５と有線端末２１との間、および有線端末２１と有線端末２１との間の通話信号の送受を中継する。また、主装置１は、有線端末２１および無線端末２２からの親子設定要求に従い、有線端末２１および無線端末２２の親子関係を設定し、管理する。
【００１４】
有線端末２１は、内線ネットワーク４を介して主装置１と接続され、この主装置１を介して通話相手と通話信号を送受する。また、有線端末２１は、主装置１に親子設定要求を送信して、主装置１から自端末２１と親子関係にある無線端末（子機）２２の情報を取得する。
【００１５】
無線端末２２は、無線ＡＰ３および内線ネットワーク４を介して主装置１と接続され、自端末２２と親子関係にある有線端末（親機）２１とは、主装置１を介して通話相手との通話信号を転送する。また、無線端末２２は、主装置１に親子設定要求を送信して、主装置１から自端末２２と親子関係にある有線端末（親機）２１の情報を取得する。
【００１６】
次に、本実施の形態の親子電話システムを構成する各装置について説明する。
【００１７】
先ず、主装置１について説明する。図２は、主装置１の概略構成図である。
【００１８】
図示するように、主装置１は、外線ＩＦ部１１と、内線ＩＦ部１２と、通信制御部１３と、ＧＷ部１４と、ルータ部１５と、呼制御部１６と、時計部１７と、親子情報記憶部１８と、主制御部１９と、を有する。
【００１９】
外線ＩＦ部１１は、外線ネットワーク５と接続するためのインターフェースである。
【００２０】
内線ＩＦ部１２は、内線ネットワーク４と接続するためのインターフェースである。
【００２１】
通信制御部１３は、外線ネットワーク５および内線ネットワーク４の各々と通信パケットを送受するために必要な処理（エラー検出、エラー訂正、パケット解析等）を行う。
【００２２】
ＧＷ部１４は、外線ネットワーク５および内線ネットワーム４間を中継するゲートウェイである。
【００２３】
ルータ部１５は、通信パケットのルーティングを行う。
【００２４】
呼制御部１６は、ＳＩＰ等の呼制御プロトコルに従い呼制御処理を行う。
【００２５】
時計部１７は、時間を計測する。
【００２６】
親子情報記憶部１８は、親子関係にある有線端末２１および無線端末２２の情報を記憶する。図３は、親子情報記憶部１８の登録内容を模式的に示す図である。
【００２７】
図示するように、親子情報記憶部１８には、有線端末２１毎にレコード１８０が登録されている。レコード１８０は、有線端末２１に割り当てられた電話番号を登録するためのフィールド１８１と、この有線端末２１のアドレス情報を登録するためのフィールド１８２と、この有線端末２１と親子関係を有する無線端末２２のアドレス情報を登録するためのフィールド１８３と、を有する。
【００２８】
ここで、フィールド１８１、１８２には、電話番号、および有線端末２１のアドレス情報が予め登録されている。フィールド１８３には、この有線端末２１と親子関係が成立している無線端末２２が存在する場合にのみ、この無線端末２２のアドレス情報が登録される。なお、有線端末２１および無線端末２２間に親子関係が成立している場合は、有線端末２１が親機となり、無線端末２２が子機となる。
【００２９】
そして、主制御部１９は、自主装置１の各部１１〜１８を統括的に制御する。
【００３０】
具体的には、主制御部１９は、外線ＩＦ部１１、通信制御部１３、ルータ部１５、およびＧＷ部１４を介して、外線ネットワーク５から呼データを受信すると、親子情報記憶部１８を参照し、この呼データの着番号が付与された有線端末２１のアドレス情報を取得する。そして、呼データおよび取得したアドレス情報を呼制御部１６に渡す。これを受けて、呼制御部１６は、主制御部１９と連携して着信処理を行い、アドレス情報により特定される有線端末２１と呼データの発信元との間に音声経路（通話パス）を設定する。
【００３１】
また、主制御部１９は、内線ＩＦ部１２、通信制御部１３、ルータ部１５、およびＧＷ部１４を介して、有線端末２１から呼データを受信すると、この呼データを呼制御部１６に渡す。これを受けて、呼制御部１６は、主制御部１９と連携して発信処理を行い、この有線端末２１と呼データのあて先との間に音声経路を設定する。
【００３２】
さらに、主制御部１９は、図示するように、親子情報登録部１９１、アドレス送信部１９２、およびリトライ送信部１９３を有し、これらの各部１９１〜１９３を用いて、有線端末２１および無線端末２２の親子関係設定処理を行う。
【００３３】
図４は、主装置１の親子関係設定処理を説明するためのフロー図である。
【００３４】
親子情報登録部１９１は、内線ＩＦ部１２、通信制御部１３、ルータ部１５、およびＧＷ部１４を介して、有線端末２１から親子設定要求を受信すると（Ｓ１０１でＹＥＳ）、時計部１７から現在時刻を取得し、これを親子設定要求の到着時刻として、この有線端末２１のアドレス情報に対応付けて、図示していないメモリ等に記憶する（Ｓ１０２）。
【００３５】
また、親子情報登録部１９１は、内線ＩＦ部１２、通信制御部１３、ルータ部１５、およびＧＷ部１４を介して、無線端末２２から親子設定要求を受信すると（Ｓ１０３でＹＥＳ）、時計部１７から現在時刻を取得し、これを親子設定要求の到着時刻として、この無線端末２２のアドレス情報に対応付けて、図示していないメモリ等に記憶する（Ｓ１０４）。
【００３６】
さて、親子情報登録部１９１は、有線端末２１および無線端末２２の両方から親子設定要求を受信したならば（Ｓ１０５でＹＥＳ）、図示していないメモリ等を参照し、有線端末２１および無線端末２２のそれぞれについて、記憶されている到着時刻が一つのみであるか否かを調べる（Ｓ１０６）。
【００３７】
図示していないメモリ等に記憶されている到着時刻が、有線端末２１および無線端末２２の少なくとも一方について複数ある場合（Ｓ１０６でＮＯ）、親子情報登録部１９１は、リトライ送信部１９３にリトライ要求の送信を指示する。これを受けて、リトライ送信部１９３は、この図示していないメモリ等に到着時刻が登録されている有線端末２１に対して、親子設定要求の再送を促すためのリトライ要求を、ＧＷ部１４、ルータ部１５、および通信制御部１３を介して、内線ＩＦ部１２から送信する（Ｓ１０７）。
【００３８】
ここで、複数の有線端末２１に対してリトライ要求を送信する場合、少なくとも、後述するＳ１０８の所定時間より間隔をあけて、リトライ要求が各有線端末２１に送信されるように、各有線端末２１に対するリトライ要求の送信タイミングをずらす。その後、親子情報登録部１９１は、図示していないメモリ等に記憶されている到着時刻とアドレス情報との対応情報をクリアしてスタートに戻る。
【００３９】
一方、図示していないメモリ等に記憶されている到着時刻が、有線端末２１および無線端末２２のそれぞれについて一つのみである場合（Ｓ１０６でＹＥＳ）、親子情報登録部１９１は、この有線端末２１の到着時刻と、この無線端末２２の到着時刻との時間差を求め、この時間差が所定時間（例えば２秒）以内であるか否かを調べる（Ｓ１０８）。
【００４０】
所定時間以内でない場合（Ｓ１０８でＮＯ）、親子情報登録部１９１は、リトライ送信部１９３にリトライ要求の送信を指示する。
【００４１】
これを受けて、リトライ送信部１９３は、この有線端末２１に対して、親子設定要求の再送を促すためのリトライ要求を、ＧＷ部１４、ルータ部１５、および通信制御部１３を介して、内線ＩＦ部１２から送信する（Ｓ１０９）。その後、親子情報登録部１９１は、図示していないメモリ等に記憶されている到着時刻とアドレス情報との対応情報をクリアしてスタートに戻る。
【００４２】
一方、所定時間以内である場合は（Ｓ１０８でＹＥＳ）、Ｓ１１０に進む。
【００４３】
Ｓ１１０において、親子情報登録部１９１は、図示していないメモリ等に到着時刻が記憶されている有線端末２１のアドレス情報をキーとして、親子情報記憶部１８からレコード１８０を検索する。そして、検索したレコード１８０のフィールド１８３に無線端末２２のアドレス情報が登録されているか否かを調べる。
【００４４】
登録されていない場合、すなわち図示していないメモリ等に到着時刻が記憶されている有線端末２１について、親子関係が未設定である場合（Ｓ１１０でＮＯ）、親子情報登録部１９１は、親子情報記憶部１８から、図示していないメモリ等に到着時刻が記憶されている無線端末２２のアドレス情報がフィールド１８３に登録されているレコード１８０を検索する。そして、このようなレコード１８０を検索できた場合は、このレコード１８０のフィールド１８３からアドレス情報を削除する。また、親子情報登録部１９１は、Ｓ１１０において検索したレコード１８０のフィールド１８３に、図示していないメモリ等に到着時刻が記憶されている無線端末２２のアドレス情報を登録する。それから、親子情報登録部１９１は、アドレス送信部１９２にアドレスの送信を指示する。
【００４５】
これを受けて、アドレス送信部１９２は、Ｓ１１０において検索したレコード１８０のフィールド１８２にアドレス情報が登録されている有線端末２１に、このレコード１８０のフィールド１８３に登録されているアドレス情報を含む子機情報を送信すると共に、このレコード１８０のフィールド１８３にアドレス情報が登録されている無線端末２２に、このレコード１８０のフィールド１８２に登録されているアドレス情報を含む親機情報を送信する（Ｓ１１１）。その後、親子情報登録部１９１は、図示していないメモリ等に記憶されている到着時刻とアドレス情報との対応情報をクリアしてスタートに戻る。
【００４６】
Ｓ１１０において、検索したレコード１８０のフィールド１８３に無線端末２２のアドレス情報が登録されている場合、すなわち図示していないメモリ等に到着時刻が記憶されている有線端末２１について、親子関係が設定済みである場合（Ｓ１１０でＹＥＳ）、親子情報登録部１９１は、図示していないメモリ等に到着時刻が記憶されている有線端末２１および無線端末２２の組み合わせが既定の時間内に出現済みであるかを判断し、出現済みである場合は、図示していないメモリ等に保持している、その組み合わせの出現回数を一つインクリメントする。そして、この組み合わせの出現回数が所定値（例えば３回）以上となったか否かを調べる（Ｓ１１２）。
【００４７】
Ｓ１１２において、出現回数が所定値以上となった場合（Ｓ１１２でＹＥＳ）、親子情報登録部１９１は、親子情報記憶部１８から、図示していないメモリ等に到着時刻が記憶されている無線端末２２のアドレス情報がフィールド１８３に登録されているレコード１８０を検索する。そして、このようなレコード１８０を検索できた場合は、このレコード１８０のフィールド１８３からアドレス情報を削除する。また、親子情報登録部１９１は、Ｓ１１０において検索したレコード１８０のフィールド１８３に登録されている無線端末２２のアドレス情報を、図示していないメモリ等に到着時刻が記憶されている無線端末２２のアドレス情報に更新する。
【００４８】
後述するように、親子設定要求は、無線端末２２の有線端末２１への載置状態が「載置」から「非載置」に変化したときに、無線端末２２および有線端末２１のそれぞれから出力される。このため、親子関係が一致していない端末においても、ユーザが載置操作を所定回数繰り返すことで、自動的に親子関係を設定することができる。
【００４９】
それから、親子情報登録部１９１は、アドレス送信部１９２にアドレスの送信を指示する。これを受けて、アドレス送信部１９２は、Ｓ１１０において検索したレコード１８０のフィールド１８２にアドレス情報が登録されている有線端末２１に、このレコード１８０のフィールド１８３に登録されているアドレス情報を含む子機情報を送信すると共に、このレコード１８０のフィールド１８３にアドレス情報が登録されている無線端末２２に、このレコード１８０のフィールド１８２に登録されているアドレス情報を含む親機機情報を送信する（Ｓ１１４）。その後、親子情報登録部１９１は、図示していないメモリ等に記憶されている、到着時刻とアドレス情報との対応情報、および組み合わせの出現回数をクリアしてスタートに戻る。
【００５０】
一方、Ｓ１１２において、一致出現回数が所定値未満の場合（Ｓ１１２でＮＯ）、親子情報登録部１９１は、図示していないメモリ等に到着時刻が記憶されている有線端末２１に対して、親子関係設定済みであることを知らせるための既設定通知を、ＧＷ部１４、ルータ部１５、および通信制御部１３を介して、内線ＩＦ部１２から送信する（Ｓ１１３）。その後、親子情報登録部１９１は、図示していないメモリ等に記憶されている到着時刻とアドレス情報との対応情報をクリアして、スタートに戻る。
【００５１】
次に、無線ＡＰ３について説明する。図５は、無線ＡＰ３の概略構成図である。
【００５２】
図示するように、無線ＡＰ３は、無線ＩＦ部３１と、内線ＩＦ部３２と、通信制御部３３と、主制御部３４と、を有する。
【００５３】
無線ＩＦ部３１は、無線ネットワークと接続するためのインターフェースである。
【００５４】
内線ＩＦ部３２は、内線ネットワーク４と接続するためのインターフェースである。
【００５５】
通信制御部３３は、無線ネットワークおよび内線ネットワーク４のそれぞれと通信パケットを送受するために必要な処理（エラー検出、エラー訂正、パケット解析等）を行う。
【００５６】
主制御部３４は、自無線ＡＰ３の各部３１〜３３を統括的に制御する。具体的には、無線ＩＦ部３１、内線ＩＦ部３２、および通信制御部３３と連携して、無線ネットワークおよび内線ネットワーク４間を中継する。
【００５７】
次に、有線端末２１について説明する。図６は、有線端末２１の概略構成図である。
【００５８】
図示するように、有線端末２１は、内線ＩＦ部２１０１と、通信制御部２１０２と、呼制御部２１０３と、通話ボタン（ハンズフリーボタン）、ダイヤルキー、ファンクションキー等の入力キーおよびＬＣＤ等の表示部を備えた操作パネル２１０４と、操作制御部２１０５と、マイクおよびスピーカを備えたハンズフリー部２１０６と、音声制御部２１０７と、無線端末ＩＦ部２１０８と、電源制御部２１０９と、子機情報記憶部２１１０と、主制御部２１１１と、を有する。
【００５９】
内線ＩＦ部２１０１は、内線ネットワーク４と接続するためのインターフェースである。
【００６０】
通信制御部２１０２は、内線ネットワーク４と通信パケットを送受するために必要な処理（エラー検出、エラー訂正、パケット解析等）を行う。
【００６１】
呼制御部２１０３は、ＳＩＰ等の呼制御プロトコルに従い呼制御処理を行う。
【００６２】
操作制御部２１０５は、操作パネル２１０４を介して、ユーザの操作を受け付けたり、情報を表示したりする。
【００６３】
音声制御部２１０７は、ハンズフリー部２１０６に対する音声の入出力を制御する。
【００６４】
無線端末ＩＦ部２１０８は、無線端末２２が自端末２１に載置された場合に、この無線端末２２と接続するためのインターフェースである。無線端末ＩＦ部２１０８は、無線端末２２を充電するための電力供給端子と、無線端末２２の載置状態を検出するためのセンサと、を有する。
【００６５】
電源制御部２１０９は、無線端末ＩＦ部２１０８に接続された無線端末２２の充電を制御する。
【００６６】
子機情報記憶部２１１０には、自端末２１と親子関係にある無線端末２２のアドレス情報が記憶されている。
【００６７】
主制御部２１１１は、自端末２１の各部２１０１〜２１１０を統括的に制御する。
【００６８】
具体的には、主制御部２１１１は、操作パネル２１０４、および操作制御部２１０５を介して操作者から着番号を伴う発信指示を受け付けると、この発信指示を呼制御部２１０３に渡す。これを受けて、呼制御部２１０３は、主制御部２１１１と連携して発信処理を行い、着番号により特定される通話相手との間に音声経路を設定する。
【００６９】
また、主制御部２１１１は、内線ＩＦ部２１０１、および通信制御部２１０２を介して、主装置１から呼データを受信すると、これを呼制御部２１０３に渡す。これを受けて、呼制御部２１０３は、主制御部２１１１と連携して着信処理を行い、この呼データの発信元との間に音声経路を設定する。
【００７０】
また、主制御部２１１１は、操作パネル２１０４、および操作制御部２１０５を介して操作者から切替指示を受け付けると、あるいは、内線ＩＦ部２１０１、および通信制御部２１０２を介して、自端末２１と親子関係にある無線端末２２から切替指示または着番号を伴う発信指示を受信すると、この無線端末２２と主装置１との間におけるデータ送受の中継を開始する。
【００７１】
さらに、主制御部２１１１は、図示するように、載置状態検出部２１１１１、親子設定要求部２１１１２、子機情報登録部２１１１３、載置操作催促部２１１１４、および誤載置通知部２１１１５を有し、これらの各部２１１１１〜２１１１５を用いて、親子設定要求処理を行う。
【００７２】
図７は、有線端末２１の親子設定要求処理を説明するためのフロー図である。
【００７３】
先ず、載置状態検出部２１１１１は、無線端末ＩＦ部２１０８に設けられたセンサの信号に基づいて、無線端末２２の載置状態を監視する（Ｓ２１０１）。そして、載置状態が「載置」から「非載置」に変化したことを検出したならば（Ｓ２１０１でＹＥＳ）、載置状態検出部２１１１１は、親子設定要求部２１１１２に、親子設定要求の送信を指示する。これを受けて、親子設定要求部２１１１２は、通信制御部２１０２、および内線ＩＦ部２１０１を介して主装置１に、送信元が有線端末であることを示す識別情報を含む親子設定要求を送信し（Ｓ２１０２）、その後、スタートに戻る。
【００７４】
また、載置操作催促部２１１１４は、内線ＩＦ部２１０１、および通信制御部２１０２を介して主装置１からリトライ要求を受信すると（Ｓ２１０３でＹＥＳ）、ユーザに無線端末２２の載置操作を促す（Ｓ２１０４）。例えば、操作制御部２１０５を介して操作パネル２１０４に、載置操作を再度行うことを促すメッセージを表示する。あるいは、音声制御部２１０７を介してハンズフリー部２１０６から、載置操作を再度行うことを促すメッセージを音声出力する。その後、スタートに戻る。
【００７５】
また、誤載置通知部２１１１５は、内線ＩＦ部２１０１、および通信制御部２１０２を介して主装置１から既設定通知を受信すると（Ｓ２１０５でＹＥＳ）、ユーザに、無線端末２２が有線端末２１に誤載置されたこと、および現在の有線端末２１、無線端末２２の組み合わせで親子関係を再設定するには、無線端末２２の載置操作を繰り返す必要があることを通知する（Ｓ２１０６）。例えば、操作制御部２１０５を介して操作パネル２１０４に、無線端末２２が有線端末２１に誤載置されたこと、および現在の有線端末２１、無線端末２２の組み合わせで親子関係を再設定するには、無線端末２２の載置操作を繰り返す必要があることを知らせるメッセージを表示する。あるいは、音声制御部２１０７を介してハンズフリー部２１０６から、無線端末２２が有線端末２１に誤載置されたこと、および現在の有線端末２１、無線端末２２の組み合わせで親子関係を再設定するには、無線端末２２の載置操作を繰り返す必要があることを知らせるメッセージを音声出力する。その後、スタートに戻る。
【００７６】
また、子機情報登録部２１１１３は、内線ＩＦ部２１０１、および通信制御部２１０２を介して主装置１から子機情報を受信すると（Ｓ２１０７でＹＥＳ）、この子機情報に含まれているアドレス情報を、自端末２１と親子関係にある無線端末２２のアドレス情報として、子機情報記憶部２１１０に登録する。もしくは、子機情報記憶部２１１０に登録されているアドレス情報を更新する（Ｓ２１０８）。その後、スタートに戻る。
【００７７】
次に、無線端末２２について説明する。図８は、無線端末２２の概略構成図である。
【００７８】
図示するように、無線端末２２は、無線ＩＦ部２２０１と、通信制御部２２０２と、呼制御部２２０３と、通話ボタン、ダイヤルキー、ファンクションキー等の入力キーおよびＬＣＤ等の表示部を備えた操作パネル２２０４と、操作制御部２２０５と、マイクおよびスピーカを備えたハンドセット部２２０６と、音声制御部２２０７と、有線端末ＩＦ部２２０８と、電源制御部２２０９と、親機情報記憶部２２１０と、主制御部２２１１と、を有する。
【００７９】
無線ＩＦ部２２０１は、無線ネットワークと接続するためのインターフェースである。
【００８０】
通信制御部２２０２は、無線ネットワークと通信パケットを送受するために必要な処理（エラー検出、エラー訂正、パケット解析等）を行う。
【００８１】
呼制御部２２０３は、ＳＩＰ等の呼制御プロトコルに従い呼制御処理を行う。
【００８２】
操作制御部２２０５は、操作パネル２２０４を介して、ユーザの操作を受け付けたり、情報を表示したりする。
【００８３】
音声制御部２２０７は、ハンドセット部２２０６に対する音声の入出力を制御する。
【００８４】
有線端末ＩＦ部２２０８は、自端末２２が有線端末２１に載置された場合に、この有線端末２１と接続するためのインターフェースである。有線端末ＩＦ部２２０８は、有線端末２１から電力を入力するための電力入力端子と、有線端末２１への載置状態を検出するためのセンサと、を有する。
【００８５】
電源制御部２２０９は、有線端末ＩＦ部２２０８に接続された有線端末２１から提供された電力の蓄電を制御する。
【００８６】
親機情報記憶部２２１０には、自端末２２と親子関係にある有線端末２１のアドレス情報が記憶されている。
【００８７】
主制御部２２１１は、自端末２２の各部２２０１〜２２１０を統括的に制御する。
【００８８】
具体的には、主制御部２２１１は、操作パネル２２０４、および操作制御部２２０５を介して操作者から着番号を伴う発信指示を受け付けると、この発信指示を呼制御部２２０３に渡す。これを受けて、呼制御部２２０３は、主制御部２２１１と連携して発信処理を行い、自端末２２と親子関係にある有線端末２１経由で、着番号により特定される通話相手との間に音声経路を設定する。
【００８９】
また、主制御部２２１１は、無線ＩＦ部２２０１、および通信制御部２２０２を介して、自端末２２と親子関係にある有線端末２１経由で主装置１から呼データを受信すると、これを呼制御部２２０３に渡す。これを受けて、呼制御部２２０３は、主制御部２２１１と連携して着信処理を行い、自端末２２と親子関係にある有線端末２１経由でこの呼データの発信元との間に音声経路を設定する。
【００９０】
また、主制御部２２１１は、操作パネル２２０４、および操作制御部２２０５を介して操作者から切替指示を受け付けると、あるいは、無線ＩＦ部２２０１、および通信制御部２２０２を介して、自端末２２と親子関係にある有線端末２１から切替指示を受信すると、この有線端末２１を介して主装置１とデータの送受を開始する。
【００９１】
さらに、主制御部２２１１は、図示するように、載置状態検出部２２１１１、親子設定要求部２２１１２、および親機情報登録部２２１１３を有し、これらの各部２２１１１〜２２１１３を用いて、親子設定要求処理を行う。
【００９２】
図９は、無線端末２２の親子設定要求処理を説明するためのフロー図である。
【００９３】
先ず、載置状態検出部２２１１１は、有線端末ＩＦ部２２０８に設けられたセンサの信号に基づいて、有線端末２１への載置状態を監視する（Ｓ２２０１）。そして、載置状態が「載置」から「非載置」に変化したことを検出したならば（Ｓ２２０１でＹＥＳ）、載置状態検出部２２１１１は、親子設定要求部２２１１２に、親子設定要求の送信を指示する。これを受けて、親子設定要求部２２１１２は、通信制御部２２０２、および内線ＩＦ部２２０１を介して主装置１に、送信元が無線端末であることを示す識別情報を含む親子設定要求を送信し（Ｓ２２０２）、その後、スタートに戻る。
【００９４】
また、親機情報登録部２２１１３は、無線ＩＦ部２２０１、および通信制御部２２０２を介して主装置１から親機情報を受信すると（Ｓ２２０３でＹＥＳ）、この親機情報に含まれているアドレス情報を、自端末２２と親子関係にある有線端末２１のアドレス情報として、親機情報記憶部２２１０に登録する。もしくは、親機情報記憶部２２１０に登録されているアドレス情報を更新する（Ｓ２２０４）。その後、スタートに戻る。
【００９５】
次に、本実施の形態が適用された親子電話システムによる親子関係設定の処理例を説明する。
【００９６】
図１０は、一つの有線端末２１および一つの無線端末２２が所定時間内に親子設定要求を送信した場合において、この有線端末２１の親子関係が未設定である場合の親子関係設定処理例を説明するためのシーケンス図である。
【００９７】
ユーザが無線端末２２を有線端末２１から上げ下げして、載置操作を行うと（Ｓ５０１）、有線端末２１は、無線端末２２の自端末２１への載置状態が「載置」から「非載置」に変化したことを検出し（Ｓ５０２）、これを契機にして、主装置１に親子設定要求を送信する（Ｓ５０４）。同様に、無線端末２２は、自端末２２の有線端末２１への載置状態が「載置」から「非載置」に変化したことを検出し（Ｓ５０３）、これを契機にして、主装置１に親子設定要求を送信する（Ｓ５０５）。
【００９８】
さて、主装置１は、有線端末２１および無線端末２２のそれぞれについて一つのみから親子設定要求を受信すると、両端末２１、２２からの親子設定要求の到着時刻の時間差が所定時間以内であること、および、有線端末２１の親子関係が未設定であることを確認して、両端末２１、２２の親子設定要求成立と判断し、無線端末２２のアドレス情報を、有線端末２１のアドレス情報にのみ対応付けられるように登録する（Ｓ５０６）。そして、有線端末２１に、無線端末２２のアドレス情報を含む子機情報を送信すると共に（Ｓ５０７）、無線端末２２に、有線端末２１のアドレス情報を含む親機情報を送信する（Ｓ５０８）。
【００９９】
これを受けて、有線端末２１は、主装置１から受信した子機情報に含まれているアドレス情報を、自端末２１と親子関係にある無線端末（子機）２２のアドレス情報として登録する（Ｓ５０９）。また、無線端末２２は、主装置１から受信した親機情報に含まれているアドレス情報を、自端末２２と親子関係にある有線端末（親機）２１のアドレス情報として登録する（Ｓ５１０）。
【０１００】
図１１は、複数の有線端末２１および複数の無線端末２２が所定時間内に親子設定要求を送信した場合において、各有線端末２１の親子関係が未設定である場合の親子関係設定処理例を説明するためのシーケンス図である。
【０１０１】
各ユーザが無線端末２２を有線端末２１から上げ下げして、載置操作を行うと（Ｓ６０１）、各有線端末２１は、無線端末２２の自端末２１への載置状態が「載置」から「非載置」に変化したことを検出し（Ｓ６０２）、これを契機にして、主装置１に親子設定要求を送信する（Ｓ６０４）。同様に、各無線端末２２は、自端末２２の有線端末２１への載置状態が「載置」から「非載置」に変化したことを検出し（Ｓ６０３）、これを契機にして、主装置１に親子設定要求を送信する（Ｓ６０５）。
【０１０２】
そして、主装置１は、所定時間内に複数の有線端末２１および複数の無線端末２２から親子設定要求を受信すると、親子設定要求不成立と判断する（Ｓ６０６）。それから、主装置１は、各有線端末２１に対して、親子設定要求の再送を促すリトライ要求を、少なくとも前記所定時間のインターバルで送信する（Ｓ６０７）。
【０１０３】
各有線端末２１は、リトライ要求を受信すると、ユーザに無線端末２２の自端末２１への載置操作を促す（Ｓ６０８）。これを受けて、各ユーザが無線端末２２を有線端末２１から上げ下げして、載置操作を行うと（Ｓ６０９）、各有線端末２１は、無線端末２２の自端末２１への載置状態が「載置」から「非載置」に変化したことを検出し（Ｓ６１０）、これを契機にして、主装置１に親子設定要求を送信する（Ｓ６１２）。同様に、各無線端末２２は、自端末２２の有線端末２１への載置状態が「載置」から「非載置」に変化したことを検出し（Ｓ６１１）、これを契機にして、主装置１に親子設定要求を送信する（Ｓ６１３）。
【０１０４】
さて、主装置１は、所定時間内に有線端末２１および無線端末２２のそれぞれ一つのみから親子設定要求を受信すると、両端末２１、２２の親子設定要求到着時刻の時間差が所定時間以内であること、および有線端末２１の親子関係が未設定であることを確認して、両端末２１、２２の親子設定要求成立と判断し、無線端末２２のアドレス情報を、有線端末２１のアドレス情報にのみ対応付けられるように登録する（Ｓ６１４）。そして、有線端末２１に無線端末２２のアドレス情報を含む子機情報を送信すると共に（Ｓ６１５）、無線端末２２に有線端末２１のアドレス情報を含む親機情報を送信する（Ｓ６１６）。
【０１０５】
各有線端末２１は、主装置１から受信した子機情報に含まれているアドレス情報を、自端末２１と親子関係にある無線端末（子機）２２のアドレス情報として登録する（Ｓ６１７）。また、各無線端末２２は、主装置１から受信した親機情報に含まれているアドレス情報を、自端末２２と親子関係にある有線端末（親機）２１のアドレス情報として登録する（Ｓ６１８）。
【０１０６】
図１２は、一つの有線端末２１および一つの無線端末２２が所定時間内に親子設定要求を送信した場合において、この有線端末２１の親子関係が設定済みである場合の親子関係設定処理例を説明するためのシーケンス図である。
【０１０７】
ユーザが無線端末２２を有線端末２１から上げ下げして、載置操作を行うと（Ｓ７０１）、有線端末２１は、無線端末２２の自端末２１への載置状態が「載置」から「非載置」に変化したことを検出し（Ｓ７０２）、これを契機にして、主装置１に親子設定要求を送信する（Ｓ７０４）。同様に、無線端末２２は、自端末２２の有線端末２１への載置状態が「載置」から「非載置」に変化したことを検出し（Ｓ７０３）、これを契機にして、主装置１に親子設定要求を送信する（Ｓ７０５）。
【０１０８】
そして、主装置１は、有線端末２１および無線端末２２のそれぞれについて一つのみから親子設定要求を受信すると、両端末２１、２２からの親子設定要求の到着時刻の時間差が所定時間以内であるか否かを確認する。両端末２１、２２からの親子設定要求の到着時刻の時間差が所定時間以内である場合は、さらに、有線端末２１の親子関係が未設定であるか否かを確認する。ここで、有線端末２１の親子関係が設定済みであるため、両端末２１、２２の親子設定要求不成立と判断する（Ｓ７０６）。それから、主装置１は、有線端末２１に、親子関係設定済みであることを示す既設定通知を送信する（Ｓ７０７）。これを受けて、有線端末２１は、無線端末２２が有線端末２１に誤載置されたこと、および現在の有線端末２１、無線端末２２の組み合わせで親子関係を再設定するには、無線端末２２の載置操作を繰り返す必要があることを知らせるメッセージを出力する（Ｓ７０８）。
【０１０９】
これを受けて、ユーザが無線端末２２を有線端末２１から上げ下げして、載置操作を行うと（Ｓ７０９）、有線端末２１は、無線端末２２の自端末２１への載置状態が「載置」から「非載置」に変化したことを検出し（Ｓ７１０）、これを契機にして、主装置１に親子設定要求を送信する（Ｓ７１２）。同様に、無線端末２２は、自端末２２の有線端末２１への載置状態が「載置」から「非載置」に変化したことを検出し（Ｓ７１１）、これを契機にして、主装置１に親子設定要求を送信する（Ｓ７１３）。
【０１１０】
そして、主装置１は、有線端末２１および無線端末２２のそれぞれについて一つのみから親子設定要求を受信すると、両端末２１、２２からの親子設定要求の到着時刻の時間差が所定時間以内であるか否かを確認する。両端末２１、２２からの親子設定要求の到着時刻の時間差が所定時間以内である場合は、さらに、有線端末２１の親子関係が未設定であるか否かを確認する。ここで、有線端末２１の親子関係が設定済みであるため、両端末２１、２２の親子設定要求不成立と判断して、Ｓ７０６〜Ｓ７１３の処理を繰り返す。
【０１１１】
さて、主装置１は、同じ有線端末２１および無線端末２２の組み合わせについて、親子設定要求不成立とする判断が所定回数繰り返されると、親子設定要求成立と判断し、設定済みの親子関係を更新する（Ｓ７１４）。そして、有線端末２１に、無線端末２２のアドレス情報を含む子機情報を送信すると共に（Ｓ７１５）、無線端末２２に、有線端末２１のアドレス情報を含む親機情報を送信する（Ｓ７１６）。
【０１１２】
有線端末２１は、主装置１から受信した子機情報に含まれているアドレス情報を、自端末２１と親子関係にある無線端末（子機）２２のアドレス情報として登録する（Ｓ７１７）。また、無線端末２２は、主装置１から受信した親機情報に含まれているアドレス情報を、自端末２２と親子関係にある有線端末（親機）２１のアドレス情報として登録する（Ｓ７１８）。
【０１１３】
次に、親子情報記憶部１８の登録内容の変遷を説明する。図１３は、親子情報記憶部１８の登録内容の変遷例を説明するための図である。
【０１１４】
図１３（Ａ）において、電話番号「１０」が付与された有線端末２１（アドレス：１９２．１６８．１０．１）に対して、電話番号「１４」が付与された有線端末２１（アドレス：１９２．１６８．１０．４）と親子関係にある無線端末２２（アドレス：１９２．１６８．１０．１３）の載置操作が行われると、図１２に示すシーケンスが実施され、電話番号「１０」が付与された有線端末２１の親子情報が更新される。
【０１１５】
その結果、図１３（Ｂ）に示すように、フィールド１８１に電話番号「１４」が登録されたレコード１８０のフィールド１８３からアドレス情報「１９２．１６８．１０．１３」が削除される。また、フィールド１８１に電話番号「１０」が登録されたレコード１８０のフィールド１８３に登録されているアドレス情報が「１９２．１６８．１０．１１」から「１９２．１６８．１０．１３」に更新される。
【０１１６】
以上、本発明の一実施の形態を説明した。
【０１１７】
本実施の形態では、有線端末２１および無線端末２２のそれぞれが、載置状態の変化を契機にして、主装置１に親子設定要求を送信する。このため、親子関係の設定に際し、有線端末２１および無線端末２２間で信号（合図）を送受する必要がない。したがって、本実施の形態によれば、有線端末２１および無線端末２２間で信号を送受するための特別なインターフェースを持たせることなく、親子関係の設定・管理を行うことができる。
【０１１８】
また、本実施の形態において、主装置１は、所定時間内に複数の有線端末２１および複数の無線端末２２から親子設定要求を受信した場合に、この複数の有線端末２１各々に対して、それぞれ異なるタイミングでリトライ要求を送信する。そして、有線端末２１は、主装置１からリトライ要求を受信すると、ユーザに載置操作を促す。このようにすることで、本実施の形態では、所定時間内に複数の有線端末２１および複数の無線端末２２から親子設定要求が送信された場合でも、各有線端末２１の親子関係を設定することができる。
【０１１９】
また、本実施の形態において、主装置１は、所定時間内に一つの有線端末２１および一つの無線端末２２から親子設定要求を受信した場合において、この有線端末２１の親子関係が設定済みである場合、この有線端末２１に対して既設定通知を送信する。そして、有線端末２１は、主装置１から既設定通知を受信すると、誤載置されたこと、および親子関係を変更するには載置操作を繰り返す必要があることをユーザに通知する。そして、同じ有線端末２１および無線端末２２の組み合わせについて、所定時間内に親子設定要求を受信する事態が所定回数繰り返された場合、主装置１は、この有線端末２１と親子関係にある子機をこの無線端末２２に更新する。このようにすることで、本実施の形態では、親子関係設定済みの有線端末２１に対して、この有線端末２１と親子関係にない無線端末２２の載置操作を繰り返すという簡単な操作により、この有線端末２１の親子関係を更新することができる。
【０１２０】
なお、本発明は、上記の実施の形態に限定されるものではなく、その要旨の範囲内で数々の変形が可能である。例えば、主装置１、有線端末２１、無線端末２２、および無線ＡＰ３の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１２１】
また、本実施の形態では、有線端末２１において、無線端末ＩＦ部２１０８に設けられたセンサにより、載置状態検出部２１１１１が無線端末２２の自端末２１への載置状態を検出する場合を例に取り説明した。しかし、本発明はこれに限定されない。例えば載置状態検出部２１１１１が、電源制御部２１０９の無線端末ＩＦ部２１０８への電力供給量を監視することにより、無線端末２２の自端末２１への載置状態を検出してもよい。
【０１２２】
同様に、本実施の形態では、無線端末２２において、有線端末ＩＦ部２２０８に設けられたセンサにより、載置状態検出部２２１１１が自端末２２の有線端末２１への載置状態を検出する場合を例に取り説明した。しかし、本発明はこれに限定されない。例えば、載置状態検出部２２１１１が、電源制御部２２０９の有線端末ＩＦ部２２０８から電力供給量を監視することにより、自端末２２の有線端末２１への載置状態を検出してもよい。
【０１２３】
図１４は、有線端末２１の無線端末ＩＦ部２１０８、電源制御部２１０９、および無線端末２２の有線端末ＩＦ部２２０８、電源制御部２２０９の変形例を説明するための図である。
【０１２４】
図示するように、有線端末２１において、無線端末ＩＦ部２１０８は、無線端末２２に電力を供給するための電力供給端子２１０８２、２１０８３を有する。また、電源制御部２１０９は、電力供給端子２１０８２、２１０８３に電源を供給する電源２１０９１と、電源２１０９１の電源供給ラインに挿入された抵抗２１０９５と、電源２１０９１の電源供給ラインを流れる電流値を測定する電流メータ２１０９３と、電力供給端子２１０８２、２１０８３間の電圧値を測定する電圧メータ２１０９４と、電源２１０９１の供給電力を調整する電源コントローラ２１０９２と、を有する。
【０１２５】
以上のような構成において、電源コントローラ２１０９２は、電流メータ２１０９３および電圧メータ２１０９４の測定値に基づいて電源２１０９１の供給電力を制御すると共に、これらの測定値を載置情報検出部２１１１１に出力する。そして、載置情報検出部２１１１１は、これらの測定値に基づいて、無線端末２２の自端末２１への載置状態を検出する。電源供給ラインの電流値が所定値以下の場合、電力供給端子２１０８２、２１０８３間が開放されていると考えられる。また、電力供給端子２１０８２、２１０８３間の電圧値が所定値以下の場合、無線端末２２に何らかの異常が発生し、無線端末２２の電力入力端子２２０８２、２２０８３間が短絡したものと考えられる。このような場合は、載置状態「非載置」と判断する。そして、電源供給ラインの電流値が所定の範囲内であり、且つ電力供給端子２１０８２、２１０８３間の電圧値が所定の範囲内である場合に、載置状態「載置」と判断する。
【０１２６】
また、無線端末２２において、有線端末ＩＦ部２２０８は、有線端末２１の電力供給端子２１０８２、２１８０３に接続され、有線端末２１から電力を入力するための電力入力端子２２０８２、２２０８３を有する。また、電源制御部２２０９は、電力入力端子２２０８２、２２０８３間の電圧値を測定する電圧メータ２２０９２と、電力入力端子２２０８２、２２０８３に入力された電力を蓄電するバッテリ２２０９１と、電力入力端子２２０８２およびバッテリ２２０９１間に挿入されたダイオード２２０９３と、を有する。
【０１２７】
以上のような構成において、電源制御部２２０９は、電圧メータ２２０９２の測定値に基づいて自端末２２の充電状態を監視する。また、この測定値を載置情報検出部２２１１１に出力する。そして、載置情報検出部２２１１１は、この測定値に基づいて、自端末２２の有線端末２１への載置状態を検出する。電力入力端子２２０８２、２２０８３間が開放されている場合と、電力入力端子２２０８２、２２０８３に電圧が印加されている場合とで、電圧メータ２２０９２の測定値に変化が生じる。そこで、電圧メータ２２０９２の測定値に基づいて、自端末２２の有線端末２１への載置状態を検出する。
【０１２８】
また、本実施の形態において、主装置１は、リトライ要求を有線端末２１に送信している。しかしながら、本発明はこれに限定されない。リトライ要求は、有線端末２１および無線端末２２の少なくともいずれか一方に送信されればよい。なお、リトライ要求を無線端末２２に送信する場合は、有線端末２１の載置操作催促部２１１１４を無線端末２２にも同様に設ける。また、リトライ要求を有線端末２１に送信しない場合は、有線端末２１から載置操作催促部２１１１４を省略してもよい。
【０１２９】
また、本実施の形態において、主装置１は、既設定通知を有線端末２１に送信している。しかしながら、本発明はこれに限定されない。既設定通知は、有線端末２１および無線端末２２の少なくともいずれか一方に送信されればよい。なお、既設定通知を無線端末２２に送信する場合は、有線端末２１の誤載置通知部２１１１５を無線端末２２にも同様に設ける。また、既設定通知を有線端末２１に送信しない場合は、有線端末２１から誤載置通知部２１１１５を省略してもよい。
【０１３０】
また、本実施の形態において、有線端末２１の載置状態検出部２１１１１、および無線端末２２の載置状態検出部２２１１１は、無線端末２２の有線端末２１への載置状態が「載置」から「非載置」に変化したことを検出し、これを契機にして、親子設定要求部２１１１２、２２１１２に親子設定要求の送信を指示している。しかし、本発明はこれに限定されない。有線端末２１の載置状態検出部２１１１１、および無線端末２２の載置状態検出部２２１１１は、無線端末２２の有線端末２１への載置状態が「非載置」から「載置」に変化したことを検出し、これを契機にして、親子設定要求部２１１１２、２２１１２に親子設定要求の送信を指示してもよい。
【０１３１】
また、本実施の形態において、主装置１は、所定時間内に複数の有線端末２１および複数の無線端末２２から親子設定要求を受信した場合に、この複数の有線端末２１に対して、それぞれ異なるタイミングでリトライ要求を送信する。しかし、本発明はこれに限定されない。主装置１は、所定時間内に複数の有線端末２１および複数の無線端末２２から親子設定要求を受信した場合に、この複数の有線端末２１および複数の無線端末２２の少なくとも一方に対して、それぞれ異なるタイミングでユーザに載置操作を促すことのできるリトライ要求を送信するものであればよい。
【０１３２】
例えば、リトライ要求に催促タイミングを含め、この催促タイミングを有線端末２１毎に異ならせる。そして、主装置１が各有線端末２１に対してリトライ要求を送信し、各有線端末２１が、主装置１から受信したリトライ要求に含まれている催促タイミングに基づいて、ユーザに載置操作を促す。あるいは、主装置１が各有線端末２１に対してリトライ要求を送信し、主装置１からリトライ要求を受信した各有線端末２１が、ユーザに載置操作を促す催促タイミングを任意に調整してもよい。
【０１３３】
また、本実施の形態では、無線端末２２を、内線ネットワーク４および無線ＡＰ３経由で、この無線端末２２と親子関係にある有線端末２１に接続している。しかし、本発明はこれに限定されない。有線端末２１に無線インターフェースを搭載することにより、無線端末２２を、この無線端末２２と親子関係にある有線端末２１に、無線ネットワークで直接接続するようにしてもよい。あるいは、無線端末２２を主装置１に直接収容（有線端末２１を経由させることなく接続）させてもよい。すなわち、主装置１が、通話パスの接続先を、親子関係を有する有線端末２１および無線端末２２間で切り替えるようにしてもよい。
【０１３４】
また、本実施の形態では、無線端末２２の無線通信に無線ＬＡＮを利用する場合を想定して説明した。しかし、本発明はこれに限定されない。無線端末２２の無線通信にＰＨＳや携帯電話を利用してもよい。
【符号の説明】
【０１３５】
１：主装置、３：無線ＡＰ、４：内線ネットワーク、５：外線ネットワーク、１１：外線ＩＦ部、１２：内線ＩＦ部、１３：通信制御部、１４：ＧＷ部、１５：ルータ部、１６：呼制御部、１７：時計部、１８：親子情報記憶部、１９：主制御部、２１：有線端末、２２：無線端末、３１：無線ＩＦ部、３２：内線ＩＦ部、３３：通信制御部、３４：主制御部、１９１：親子情報登録部、１９２：アドレス送信部、１９３：リトライ送信部、２１０１：内線ＩＦ部、２１０２：通信制御部、２１０３：呼制御部、２１０４：操作パネル、２１０５：操作制御部、２１０６：ハンズフリー部、２１０７：音声制御部、２１０８：無線端末ＩＦ部、２１０９：電源制御部、２１１０：子機情報記憶部、２１１１：主制御部、２２０１：無線ＩＦ部、２２０２：通信制御部、２２０３：呼制御部、２２０４：操作パネル、２２０５：操作制御部、２２０６：ハンドセット部、２２０７：音声制御部、２２０８：有線端末ＩＦ部、２２０９：電源制御部、２２１０：親機情報記憶部、２２１１：主制御部、２１１１１：載置状態検出部、２１１１２：親子設定要求部、２１１１３：子機情報登録部、２１１１４：載置操作催促部、２１１１５：誤載置通知部、２２１１１：載置状態検出部、２２１１２：親子設定要求部、２２１１３：親機情報登録部
【図１】
2011217418.tif 000003
【図２】
2011217418.tif 000004
【図３】
2011217418.tif 000005
【図４】
2011217418.tif 000006
【図５】
2011217418.tif 000007
【図６】
2011217418.tif 000008
【図７】
2011217418.tif 000009
【図８】
2011217418.tif 000010
【図９】
2011217418.tif 000011
【図１０】
2011217418.tif 000012
【図１１】
2011217418.tif 000013
【図１２】
2011217418.tif 000014
【図１３】
2011217418.tif 000015
【図１４】
2011217418.tif 000016